(57)【特許請求の範囲】
【請求項１】
ケースの一面から端子が突出する電気装置であって、前記ケースの前記一面には、梱包の際に他の電気装置と２個１組で組み合わされたときに当該他の電気装置の端子が前記ケースの内部に挿入される挿入凹所が開口していることを特徴とする端子を備えた電気装置。
【請求項２】
前記ケースは、直方体状であり、前記ケースの長方形状の前記一面上における前記端子が設けられる位置と、前記挿入凹所が設けられる位置とは、前記ケースの前記一面に直交する法線を含み且つ当該一面の互いに平行な２つの長辺のそれぞれの中点を通る仮想面に対して、面対称となるように設定されていることを特徴とする請求項１記載の端子を備えた電気装置。
【発明の詳細な説明】
【技術分野】
【０００１】
本発明は、ケースの一面から端子が突出する電気装置に関するものである。
【背景技術】
【０００２】
リレーや表示ランプに代表される電気装置のように、ケースの一面から端子が突出する形態の電気装置が知られている。この種の電気装置を複数個まとめて外装箱で梱包するに当っては、端子が他の電気装置に干渉して端子に負荷が加わって端子が折れ曲がらないように、端子を他の電気装置から保護する必要がある。
【０００３】
図９には、図の上面が開放された箱体８１ａと、箱体８１ａの内底面から箱体８１ａの上下方向の中間まで突出するようにそれぞれ設けられた複数個の仕切り板８２と、箱体８１ａに挿入されるスポンジ８３が厚み方向の一面に着設された板状の蓋体８１ｂとを用いて電気装置を梱包する構成を示している（例えば、特許文献１参照）。電気装置は、端子が仕切り板８２の上端よりも上方に突出するように仕切り板８２間にそれぞれ配置され、箱体８１ａに挿入されたスポンジ８３に端子が突き刺さる。スポンジ８３により端子の周囲を覆うことにより、端子を保護している。
【０００４】
図１０には、外装箱８１と、外装箱８１に収納されるトレー８４とを用いて電気装置１を梱包する構成を示している。各電気装置１は、トレー８４の定位置に、端子が他の電気装置１から離れるようにそれぞれ固定されている。トレー８４により端子の周囲を囲うことにより端子を保護している。
【０００５】
図１１には、外装箱８１と、外装箱８１に収納される箱状のチューブ８５とを用いて電気装置１を梱包する構成を示している。各電気装置１は、それぞれチューブ８４に収納されている。チューブ８５により端子２０を囲うことにより、端子２０を保護している。
【先行技術文献】
【特許文献】
【０００６】
【特許文献１】特開平７−３３１９１号公報
【発明の概要】
【発明が解決しようとする課題】
【０００７】
上述のように、スポンジ８３や、トレー８４や、チューブ８５のような保護部材を用いて電気装置の端子を保護する構成には、保護部材の製造費が必要であるという問題がある。
【０００８】
また、図９や図１０や図１１に示した構成では、保護部材で端子の周囲を囲うため、端子が他の電気装置から離れるようにして電気装置を梱包するから、外装箱８１の容積（内部空間の体積）に対する各電気装置１が占める体積の割合が小さく、輸送効率が悪いという問題がある。
【０００９】
本発明は上記事由に鑑みて為されたものであり、その目的は、梱包時において保護部材を用いずに端子を保護でき、また、輸送効率を高めることができる電気装置を提供することにある。
【課題を解決するための手段】
【００１０】
本発明は、ケースの一面から端子が突出する電気装置であって、前記ケースの前記一面には、梱包の際に他の電気装置と２個１組で組み合わされたときに当該他の電気装置の端子が前記ケースの内部に挿入される挿入凹所が開口していることを特徴とする。
【００１１】
この電気装置において、前記ケースは、直方体状であり、前記ケースの長方形状の前記一面上における前記端子が設けられる位置と、前記挿入凹所が設けられる位置とは、前記ケースの前記一面に直交する法線を含み且つ当該一面の互いに平行な２つの長辺のそれぞれの中点を通る仮想面に対して、面対称となるように設定することが望ましい。
【発明の効果】
【００１２】
本発明の構成によれば、端子を挿入凹所に挿入し合うように他の電気装置と組み合わせるから、保護部材を用いずに端子を保護することができ、また、小さくまとめて梱包することができ、その結果、輸送効率を高めることができるという利点がある。
【００１３】
また、ケースの前記一面上における前記端子が設けられる位置と、前記挿入凹所が設けられる位置とは、ケースの前記一面の対称面に対称になるように設定されるから、ケースの前記一面に交差する４つの外側面の１つが他の電気装置のケースの外側面の１つとそれぞれ同一平面上になるように他の電気装置と組み合わせることができ、２組以上（すなわち４個以上の電気装置）を梱包するに際して、ケースの外側面同士が揃うように端子の突出方向（前記一面に直交する方向）や前記外側面の１つに直交する方向や当該方向と端子の突出方向とに直交する方向に各組を並べ２組以上を小さくまとめて梱包することができ、その結果、輸送効率をさらに高めることができるという利点がある。
【図面の簡単な説明】
【００１４】
【図１】本実施形態を示す図で、（ａ）は側面図で、（ｂ）は斜視図である。
【図２】同上を説明する側面図である。
【図３】同上の輸送の形態を説明する斜視図である。
【図４】同上の電磁リレーを示す図であり、（ａ）は正面図で、（ｂ）は右側面図である。
【図５】同上の電磁リレーの一部の分解斜視図である。
【図６】同上の電磁リレーの一部の分解斜視図である。
【図７】同上の電磁リレーの水平断面図である。
【図８】同上の電磁リレーの垂直断面図である。
【図９】従来例の斜視図である。
【図１０】他の従来例の斜視図である。
【図１１】さらに他の従来例の斜視図である。
【発明を実施するための形態】
【００１５】
本実施形態の電気装置１は、図１に示すように、直方体状に形成されたケース１０と、ケース１０の一面から突出する端子２０とを備える。この種の電気装置１には、電磁リレーや半導体リレーなどのリレーや、表示ランプや、押釦スイッチなどがある。以下では、図１（ａ）の上下方向を高さ方向とし、図１（ａ）の左右方向を奥行き方向とし、図１（ａ）の前後方向を幅方向として説明する。
【００１６】
端子２０が設けられたケース１０の一面（図１（ａ）における下面）には、端子２０と同形状の端子が挿入可能な挿入凹所３０が開設される。
【００１７】
挿入凹所３０は、ケース１０の前記一面における挿入凹所３０が設けられる位置と、端子２０が設けられる位置とがケース１０の前記一面の奥行き方向に沿う互いに平行な２辺のそれぞれの中点を通り且つ当該一面に直交する面に対して対称になる位置にそれぞれ設けられる。
【００１８】
図示例では、４個の端子２０がケース１０の一面から突出し、４個の挿入凹所３０がケース１０の当該一面に開設されている。各端子２０は、それぞれ板状に形成され、厚み方向が奥行き方向に一致する。
【００１９】
挿入凹所３０も、端子２０に応じてケース１０の前記一面に開設される。４個の挿入凹所３０は、幅方向に長い矩形状にそれぞれ形成される。
【００２０】
また、挿入凹所３０は、深さ寸法（開口面から内底面までの寸法）が端子２０のケース１０の前記一面から突出する突出寸法よりも小さく設定され、奥行き方向の寸法が端子２０の厚み寸法よりも大きく設定される。
【００２１】
図３に示すように、複数個（図示例では８個）の電気装置１を外装箱８１で梱包するに当っては、各電気装置１をそれぞれ他の１個の電気装置１と図２に示すように組み合わせる。つまり、２個の電気装置１は、一方の電気装置１のケース１０の４つの側面の１つと他方の電気装置１のケース１０の４つの側面の１つとがそれぞれ同一平面上になるようにケース１０の側面同士を揃えられた後、端子２０を挿入凹所３０に互いに挿入し合うように組み合わされる。
【００２２】
２個１組で組み合わされた４組の電気装置１は、幅方向と奥行き方向とにそれぞれ２列に並ぶように外装箱８１に収納される。
【００２３】
組み合わされた２個の電気装置１は、互いに端子２０を保護し合い、その結果、スポンジや、トレーや、チューブなどの保護部材を用いずに端子２０を保護することができる。
【００２４】
また、２個の電気装置１をケース１０の側面同士が揃うように組み合わせることにより複数個の電気装置１を小さくまとめて梱包することができ、その結果、輸送効率を高めることができる。
【００２５】
上述した構成では、端子２０が板状である例を説明したが、端子２０をピン状に形成することもできる。
【００２６】
また、上述した構成では４個の端子２０をケース１０に設けた例を説明したが、端子２０の数は、電気装置１が電磁リレーや半導体リレーである場合など電気装置１の種類に応じて変わり、４個に限るものではない。
【００２７】
以下では、電気装置１の一例として、電磁リレーを説明する。電磁リレーは、図４〜８に示すように、ケース１０に接点装置４０および電磁石装置５０を収納し、接点装置４０に電気的に接続される一対の端子２１と、電磁石装置５０に電気的に接続される一対の端子２２との４個の端子２０がケース１０に設けられた構成を有する。
【００２８】
ケース１０は、接点装置４０および電磁石装置５０が載置される板状の第１ケース１１と、一面が開放され開口が閉塞されるように第１ケース１１に嵌着される第２ケース１３とを備える。
【００２９】
第１ケース１１には、一対の端子２１の一方がそれぞれ貫装される一対の挿通孔１２ａと、一対の端子２２の一方がそれぞれ貫装される一対の挿通孔１２ｂとが貫設される。一対の挿通孔１２ａは幅方向に並設され、一対の挿通孔１２ｂも幅方向に並設される。
【００３０】
端子２１、２２は、それぞれ板状に形成され、厚み方向が奥行き方向に一致する。端子２１と端子２２とは、端子２１の突出寸法が端子２２の突出寸法よりも大きくなるようにそれぞれ形成される。
【００３１】
また、端子２２は、奥行き方向の中央部近傍に設けられる。一方、端子２１は、奥行き方向の端寄り（図４（ｂ）の左端寄り）に設けられる。端子２１には、厚み方向の一面が第２ケース１３の奥行き方向の側壁（図８における左壁）の内側面に当接する接続片２１ａが一体に設けられる。接続片２１ａには、後述するように接点装置４０が備える固定端子４２が嵌まる嵌合孔２１ｂが貫設される。
【００３２】
第１ケース１１の下面には、端子２１と同形状の端子が挿入可能な一対の挿入凹所３１と、端子２２が挿入可能な一対の挿入凹所３２との４個の挿入凹所３０が設けられる。第１ケース１１における挿通孔１２ａ、１２ｂが設けられる位置と、挿入凹所３１、３２が設けられる位置とは、上述の端子２０が設けられる位置と挿入凹所３０が設けられる位置との関係と同様に設定される。
【００３３】
挿入凹所３１、３２は、開口面が矩形状になるようにそれぞれ設けられる。また、挿入凹所３１、３２は、端子２１の突出寸法から挿入凹所３１の深さ寸法を引いた値と、端子２２の突出寸法から挿入凹所３２の深さ寸法を引いた値とが同じになるように、深さ寸法がそれぞれ設定される。したがって、２個の電磁リレーを、ケース１０の一面（端子２１、２２が設けられた面）同士が互いに平行になり、ケース１０の側面同士が揃うように２個の電磁リレーを組み合わせることができる。
【００３４】
接点装置４０と電磁石装置５０とは、接点装置４０を接続片２１ａ側として奥行き方向に並設される。
【００３５】
電磁石装置５０は、中空円筒状の基体５１ａを備えたボビン５１を有し、基体５１ａの外周面に励磁巻線５２を巻装し、ボビン５１に挿入された有底筒状のプランジャキャップ５５に可動鉄心５４を収納し、後述する継鉄板５６とストッパキャップ５９とを用いてプランジャキャップ５５の開口側の端部に固定鉄心５３を固定した構成を有する。
【００３６】
基体５１ａは、外周面から下方に向かって突出するように設けられた取付片５１ｂを用いて一対の端子２２と結合される。取付片５１ｂは、厚み方向が基体５１ａの中心軸方向（すなわち、端子２２の厚み方向）に一致する。取付片５１ｂの下端面には、例えば一対の端子２２の一方がそれぞれ圧入される一対の取付孔が凹設され、端子２２と結合する。一対の端子２２の一方は、ボビン５１に巻装された励磁巻線５２の両端の一方にそれぞれ固着される。
【００３７】
プランジャキャップ５５は、開口側の端部がボビン５１から露出し底部側の端部がボビン５１に収納され、底側の端部とボビン５１の内側面との間に設けられた隙間に圧入されるブッシュ６１によりボビン５１に固定される。
【００３８】
プランジャキャップ５５には、周面の開口側の端部を全周に亘って囲むリング状の鍔片５５ａが一体に設けられる。鍔片５５ａには、後述するように継鉄板５６が着設される。プランジャキャップ５５の内底面には、収納した可動鉄心５４が当該内底面に衝突することを防止する円板状のダンパゴム６２が着設される。
【００３９】
可動鉄心５４は、直径がプランジャキャップ５５の内径と同一寸法に設定された円柱状に形成され、周面が筒状体５５ａの内周面に当接することで径方向の移動が規制される。可動鉄心５４は、電磁石装置５０と接点装置４０とを結合する結合部材であるシャフト６３が貫装される取付孔５４ａが中心軸部に貫設される。
【００４０】
シャフト６３は、軸方向の一端部が可動鉄心５４に結合され、他端部がプランジャキャップ５５の筒状体５５ａから露出する。当該他端部には、周面から突出する支持片６３ａが設けられる。支持片６３ａの機能については後述する。
【００４１】
固定鉄心５３は、直径がプランジャキャップ５５の筒状体５５ａの内径と略同一寸法に設定された円柱状に形成され、中心軸方向の一端部がプランジャキャップ５５に収納され他端部がプランジャキャップ５５から露出する。固定鉄心５３の中心軸部には、シャフト６３が挿通されるシャフト孔５３ｂが貫設される。また、固定鉄心５３には、周面の前記他端部を全周に亘って囲むリング状の鍔片５３ａが一体に設けられる。鍔片５３ａには、リング状に形成された鉄心ゴム６４が鍔片５３ａを包むように嵌着される。
【００４２】
固定鉄心５３は、鉄心ゴム６４が継鉄板５６と継鉄板５６に固着されるストッパキャップ５９とに挟まれることでプランジャキャップ５５に固定される。
【００４３】
継鉄板５６は、後述する第１継鉄板５７と、矩形板状に形成され中心軸部に固定鉄心５３の円柱状体５３ａが挿通される挿通孔５８ａが貫設された第２継鉄板５８とを備える。第２継鉄板５８は、厚み方向においてプランジャキャップ５５の鍔片５５ａと鉄心ゴム６４とに挟まれるとともに、鍔片５５ａに固着される。
【００４４】
ストッパキャップ５９は、シャフト６３が挿通されるシャフト孔５９ｃが貫設され第２継鉄板５８とともに固定鉄心５３の鍔片５３ａを挟む矩形状の中央片５９ａと、中央片５９ａの長手方向の両端と段差を介して繋がり第２継鉄板５８の厚み方向の一面に固着される一対の固着片５９ｂとを備え、固定鉄心５３を第２継鉄板５８に固定する。
【００４５】
第１継鉄板５７は、コの字状に形成され、互いに対向する一対の腕片５７ａの先端部間に第２継鉄板５８が架設される。一対の腕片５７ａを繋ぐ中央片５７ｂには、ブッシュ６１が嵌まる嵌合孔５７ｃが貫設され、第１継鉄板５７はボビン５１に固定される。
【００４６】
継鉄板５６は、第１継鉄板５７の一対の腕片５７ａがボビン５１の基体５１ａの中心軸に沿い第１継鉄板５７の中央片５７ｂと第２継鉄板５８とがボビン５１の基体５１ａを当該中心軸方向に挟むようにボビン５１を囲み、固定鉄心５３および可動鉄心５４とともに閉ループ状の磁路を形成する。
【００４７】
ストッパキャップ５９と可動鉄心５４との間には、コイルばねから成りシャフト６３が挿通される復帰ばね６５が配置される。復帰ばね６５は、固定鉄心５３のシャフト孔５３ｂに挿通され、一端が可動鉄心５４の底面（固定鉄心５３側の底面）に当接し、他端がストッパキャップ５９の中央片５９ａの厚み方向の一面（固定鉄心５３側の面）に当接する。
【００４８】
復帰ばね６５は、励磁巻線５２への通電が行われ可動鉄心５４が固定鉄心５３に吸引されると圧縮され、励磁巻線５２への通電が停止すると弾性力により可動鉄心５４を固定鉄心５３から引き離す。
【００４９】
接点装置４０は、端子２１と一体に設けたれた上述の接続片２１ａと電磁石装置５０との間に配置され電磁石装置５０側の一面が開放された箱状のベース４１を備え、このベース４１に、固定端子４２が備える固定接点（図示せず）と、固定接点に接離する可動接点（図示せず）を備えた可動接触子４３と、シャフト６３の軸方向の端部（支持片６３ａが設けられた端部）とを収納した構成を有する。
【００５０】
ベース４１の底壁には、固定端子４２がそれぞれ挿通される一対の挿通孔４１ａが貫設される。また、ベース４１には、後述するようにカプセルヨーク４９を用いて一対の永久磁石４８が取り付けられる。
【００５１】
固定端子４２は、円柱状に形成され、上述の接続片２１ａに設けた嵌合孔２１ｂに嵌着される。固定端子４２には、中心軸方向における周面の中央部を全周に亘って囲む固着片４２ａが一体に設けられる。固着片４２ａは、リング状に形成された第１フランジ４４と、それぞれリング状に形成された銀ろうから成る固着部材７１、７２とを用いて、ベース４１の底壁と結合される。固着部材７１により固着片４２ａと第１フランジ４４とが固着され、固着部材７２により第１フランジ４４とベース４１の底壁とが結合される。
【００５２】
固定接点は、固定端子４２の中心軸方向の端部（ベース４１に収納される端部）に設けられ、ベース４１に収納される。
【００５３】
ベース４１の側壁の先端面には、枠状に形成された銀ろうから成る固着部材７３を用いて金属材料で枠状に形成された第２フランジ４５が固着される。第２フランジ４５は、電磁石装置５０の第２継鉄板５８の厚み方向の一面（ストッパキャップ５９が固着された面）の縁端部に固着される。つまり、ベース４１は、固定端子２１と第２フランジ４５を介して接続片２１ａと第２継鉄板５８とに挟まれケース１０の定位置に固定される。
【００５４】
可動接触子４３は、厚み方向が固定端子４２の中心軸方向（すなわち、奥行き方向）に一致する金属板から成り、厚み方向の一面に当該中心軸方向において両固定接点の一方にそれぞれ対向する一対の可動接点が設けられる。一対の可動接点の中間（図８における上下方向の中間）には、シャフト６３が挿通されるシャフト孔４３ａが貫設される。
【００５５】
可動接触子４３は、コイルばねから成る接圧ばね４６と、接圧ばね４６の一端を支持するホルダ３７とを用いて固定端子５２側（図７における左向き）に付勢される。可動接触子４３を付勢する構成について具体的に説明する。
【００５６】
接圧ばね４６は、シャフト６３が挿通され、一端が可動接触子４３の厚み方向の一面（可動接点が設けられた面の反対側の面）に一端が当接する。
【００５７】
ホルダ４７は、中央部にシャフト６３が挿通されるシャフト孔４７ｃが貫設され厚み方向の一面に接圧ばね４６の一端が当接する板状の基片４７ａを備える。基片４７ａの厚み方向の他面には、ストッパキャップ５９の中央片５９ａが内側に圧入される矩形枠状の嵌合突起４７ｂが突設される。つまり、ホルダ４７はストッパキャップ５９に固定される。
【００５８】
接圧ばね４６は、他端が可動接触子４３に当接し、圧縮されることにより可動接触子４３を付勢する。つまり、接圧ばね４６は、可動接触子４３が両固定端子４２から離間しているときはシャフト６３の支持片６３ａに可動接触子４３を押圧し、可動接触子４３が両固定端子４２に当接しているときは可動接触子４３を両固定端子４２に押圧する。
【００５９】
カプセルヨーク４９は、鉄などの磁性金属材料でコの字状に形成され、互いに対向する一対の腕片４９ａにより、それぞれ板状に形成された一対の永久磁石４８の一方を、ベース４１の上下両面の一方にそれぞれ押圧するさ。ここに、一対の永久磁石４８は、異極が互いに対向するように配置される。
【００６０】
一対の永久磁石４８とカプセルヨーク４９とにより、ベース４１内には、可動接触子４３の移動方向（可動接触子４３の厚み方向）と直交する向きの磁界が形成され、当該磁界によりアークを引き伸ばす力がアークに作用し、アークが短時間で消弧する。
【００６１】
動作について説明する。励磁巻線５２への通電が行われると、可動鉄心５４が固定鉄心５３に吸引され、シャフト６３が軸方向（図７の左方）に移動し、可動接触子４３がシャフト６３とともに移動して両固定端子４２に当接し、両固定端子４２間が短絡する。励磁巻線５２への通電が停止すると、復帰ばね６５により可動鉄心５４が固定鉄心５３から引き離されてシャフト６３が軸方向（図７の右方）に移動し、シャフト６３の支持片６３ａにより可動接触子４３が両固定端子４２から引き離され、両固定端子４２間が開放する。
【００６２】
上述した電磁リレーの構成では、接点装置４０が備える一対の固定端子４２の一方にそれぞれ接続された２個の端子２１と、電磁石装置５０が備える励磁巻線５２の両端の一方にそれぞれ接続された２個の端子２２とをケース１０に設けた例を説明したが、端子２１、２２の個数は、接点装置４０の接点の種類および電磁石装置５０の種類に応じて適宜に選択してよい。
【符号の説明】
【００６３】
１  電気装置
１０  ケース
２０、２１、２２  端子
３０、３１、３２  挿入凹所
【図１】
0005416522.tif 000002
【図２】
0005416522.tif 000003
【図３】
0005416522.tif 000004
【図４】
0005416522.tif 000005
【図５】
0005416522.tif 000006
【図６】
0005416522.tif 000007
【図７】
0005416522.tif 000008
【図８】
0005416522.tif 000009
【図９】
0005416522.tif 000010
【図１０】
0005416522.tif 000011
【図１１】
0005416522.tif 000012